(57)【要約】【課題】解体及び再組立が可能な簡易式ケースで構成することで簡単に内部を清掃することができつつも、防水性、シール性も確保することができる少量でも製造可能なタオル用防水ケースを提供することを目的とする。【解決手段】収納部内にタオルを収納するタオル用防水ケースにおいて、蓋部３を収納部２に被せた際に、重合部３５が、例えば上下方向でα（３５ｍｍ程度）、収納部２の上端縁と重合するように構成されている。収納部２の正面側壁２１に係止部２０が、蓋部３の正面蓋側壁３２に係合部３０がそれぞれ設けられており、係合部３０を係止部２０に差し込んで固定するように構成されている。【選択図】図２
2020117308.tif 000002
【特許請求の範囲】
【請求項１】
プラスチック製段ボール材で構成されたタオル用防水ケースであって、
タオルを収納する収納部と、該収納部の上方に回動部を介して延設され、該収納部を覆うように設けられた蓋部とを備えており、前記蓋部には、下端縁に前記収納部の上端縁と所定幅重合する重合部が形成されており、前記蓋部に係合部、前記収納部に係止部がそれぞれ設けられていることを特徴とするタオル用防水ケース。
【請求項２】
請求項１において、前記収納部は、垂直方向に延びる側壁を有しており、底面には、平坦な底部を備えたことを特徴とするタオル用防水ケース。
【請求項３】
請求項２において、前記側壁のうち少なくとも１つから延設された折り返し部を備えており、該折り返し部は、前記側壁に沿って折り返されて、前記側壁に当接して固定されていることを特徴とするタオル用防水ケース。
【請求項４】
請求項３において、前記折り返し部は、前記側壁の内側壁に当接して固定されていることを特徴とするタオル用防水ケース。
【請求項５】
請求項３において、前記折り返し部は、前記側壁の外側壁に当接して固定されていることを特徴とするタオル用防水ケース。
【請求項６】
請求項１乃至請求項５の何れか１つにおいて、前記収納部の内部に底上げ部を備えたことを特徴とするタオル用防水ケース。
【請求項７】
請求項１乃至請求項６の何れか１つにおいて、前記収納部の側壁に取付部を備えたことを特徴とするタオル用防水ケース。
【請求項８】
請求項１乃至請求項７の何れか１つにおいて、前記プラスチック製段ボール材が透明であることを特徴とするタオル用防水ケース。
【発明の詳細な説明】
【技術分野】
【０００１】  本発明は、浴室などで使うタオル用防水ケースに関するものである。
【背景技術】
【０００２】  近年、高齢化に伴い、急激な温度や気温の変化によって血圧や脈拍が急に変動する、いわゆる「ヒートショック現象」による健康被害が特に高齢者で増加している。その原因の１つとして、冬場の入浴後に浴室から脱衣所などに移動する際の急激な温度変化が挙げられる。それを防ぐ方法として、入浴後に浴室内で身体の水分をタオルで拭き取り、タオルを体にかけた状態で脱衣所に移動することが考えられるが、そのためにはタオルを濡らすことなく浴室に持ち込むための防水のケースが必要になる。【０００３】  防水性を確保するケースとして、例えば、特許文献１に、容器を密閉するために、ゴムパッキンを使用するケースが提案されており、こうした構造を採用することが考えられる。
しかし、このような構造によると、本体を樹脂等の堅い素材で作成することになるため、長期間浴室で使用すると、本体内部に水垢等がこびり付いて、清掃が困難となるという問題がある。また、ゴムパッキンについても、開閉を頻繁に行うことが想定されるタオル用のケースへの適用を考えた場合には、開閉の際、大きく手間が掛かってしまい、使い勝手が悪いという問題がある。さらに、このような方法を適用することを考えた場合、本体を樹脂等の堅い素材で作成することになるため、少量での製造が難しく、試作・改良をしにくいという問題点がある
また、浴室内に設置される簡易式ケースとして、例えば、特許文献２には、浴室用組み立て式ゴミ箱が提案されている。これは、耐水性に優れた特殊な紙の素材を使用することで、紙の表面に防水加工をすることなく、浴室で使用することを可能としている。しかしながら、これは板状の紙材でできているため、ゴミ箱としては機能するが、タオル用のケースとして考えた場合には、強度が不足して、形状の保持が難しいという問題がある。【０００４】  そこで、表面に防水加工をした段ボールを使用することが考えられるが、防水ダンボールとは、通常、表面の紙のみが防水加工をしてあり、その間の波状の紙には防水加工がされていないため、段ボールの切断面から水及び湿気が入って段ボールが破損してしまうという問題がある。また、蓋部材を設けて開閉させる際の密閉性を十分に確保することが困難であるという問題もある。
【先行技術文献】
【０００５】
【特許文献１】特開２０００−１５７４００号公報
【特許文献２】特開２０１５−７８０５９号公報
【発明の概要】
【発明が解決しようとする課題】
【０００６】  本発明は、前記課題を鑑みてなされたものであり、解体及び再組立が可能な簡易式ケースで構成することで簡単に内部を清掃することができつつも、防水性、シール性も確保することができる少量でも製造可能なタオル用防水ケースを提供することを目的とする。
【課題を解決するための手段】
【０００７】  第１の発明は、プラスチック製段ボール材で構成されたタオル用防水ケースであって、タオルを収納する収納部と、該収納部の上方に回動部を介して延設され、該収納部を覆うように設けられた蓋部とを備えており、前記蓋部には、下端縁に前記収納部の上端縁と所定幅重合する重合部が形成されており、前記蓋部に係合部、前記収納部に係止部がそれぞれ設けられていることを特徴とするものである。【０００８】  第１の発明では、タオル用防水ケースを、素材自体が耐水性を持ったプラスチック製段ボール材で構成しているので、切断面からの水及び湿気の侵入による破損を心配することなく使用することができるとともに、蓋部の下端縁に収納部の上端縁と所定幅重合する重合部を形成して、その重合部が重合する状態で蓋部が係止部で係止されることで、蓋部と収納部はその端縁において、いわゆるラビリンス効果が得られることになる。このため、前記収納部内部への水及び湿気の侵入を防ぐことができる。【０００９】  第２の発明は、第１の発明において、前記収納部は、垂直方向に延びる側壁を有しており、底面には、平坦な底部を備えたことを特徴とするものである。【００１０】  第２の発明では、底部を備えることで、バスタオル等の大きなサイズのタオルを収納することができる。【００１１】  第３の発明は、第２の発明において、前記側壁のうち少なくとも１つから延設された折り返し部を備えており、該折り返し部は、前記側壁に沿って折り返されて、前記側壁に当接して固定されていることを特徴とするものである。【００１２】  第３の発明では、折り返し部を備えることで、前記側壁の強度が増すとともに、タオルの出し入れの際にプラスチック製段ボール材の切断面に手が当たって怪我をすることを防ぐことができる。【００１３】  第４の発明は、第３の発明において、前記折り返し部は、前記側壁の内側壁に当接して固定されていることを特徴とするものである。【００１４】  第４の発明では、前記折り返し部が、前記側壁の内側壁に当接して固定されているため、前記収納部の外側にプラスチック製段ボール材の切断面が露出せず、より安全に使用することができる。【００１５】  第５の発明は、第３の発明において、前記折り返し部は、前記側壁の外側壁に当接して固定されていることを特徴とするものである。【００１６】  第５の発明では、前記折り返し部が、前記側壁の外側壁に当接して固定されているため、前記収納部からタオルを取り出す際に、プラスチック製段ボール材の切断面がタオルに引っ掛からないため、よりスムーズに取り出すことができるとともに、蓋部を閉じた状態で、外側から、前記重合部、折り返し部、側壁の三重構造となって、いわゆるラビリンス効果がさらに高まり、より前記収納部内部への水及び湿気の侵入を防ぐことができる。【００１７】  第６の発明は、第１乃至第５の発明の何れか１つにおいて、前記収納部の内部に底上げ部を備えたことを特徴とするものである。【００１８】  第６の発明では、底上げ部を備えているので、使用中に前記蓋部及び前記収納部の内壁に発生した湿気が時間の経過とともに水滴となって底部に溜まることになったとしても、その水分でタオルが濡れることを防ぐことができる。【００１９】  第７の発明は、第１乃至第６の発明の何れか１つにおいて、前記収納部の側壁に取付部を備えたことを特徴とするものである。【００２０】  第７の発明では、収納部の側壁に取付部を備えているので、タオル用防水ケースを、浴室内の手すり等に取り付けたることができる。このため、タオル用収納ケースは、設置状態で、常に上下方向が規定されるため、いわゆるラビリンス効果を、安定して得ることができる。【００２１】  第８の発明は、第１乃至第７の発明の何れか１つにおいて、前記プラスチック製段ボール材が透明であることを特徴とするものである。【００２２】  第８の発明では、プラスチック製段ボール材が透明であるため、蓋部を開けずに内部を外側から確認することができる。このため、蓋部の開閉の回数が減ることで、収納部内に湿気が入る頻度を抑えることができ、防水性を低下させることがない。
【発明の効果】
【００２３】  本発明によれば、素材自体が耐水性を持ったプラスチック製段ボール材で構成しているので、切断面からの水及び湿気の侵入による破損を心配することなく使用することができるとともに、蓋部の下端縁に収納部の上端縁と所定幅重合する重合部を形成して、その重合部が重合する状態で蓋部が係止部で係止されることで、蓋部と収納部はその端縁において、いわゆるラビリンス効果が得られることになる。このため、前記収納部内部への水及び湿気の侵入を防ぐことができる。
【図面の簡単な説明】
【００２４】
【図１】タオル用防水ケースの蓋を閉めた状態の正面斜視図である。
【図２】タオル用防水ケースの蓋を閉めた状態の側面図である。
【図３】図１のＸ−Ｘ’断面図である。
【図４】図２のＹ−Ｙ’断面図である。
【図５】図４のＡ部拡大図である。
【図６】図２のＺ−Ｚ’断面図である。
【図７】タオル用防水ケースの蓋を閉めた状態の背面斜視図である。
【図８】タオル用防水ケースの実施例１を示す蓋を開けた状態の正面斜視図である。
【図９】タオル用防水ケースの実施例２を示す蓋を開けた状態の正面斜視図である。
【図１０】図３のＢ部拡大図である。
【図１１】タオル用防水ケースの取付部及び吸盤不使用時の背面図である。
【図１２】タオル用防水ケースの展開図である。
【図１３】タオル用防水ケースの部品を示す参考図である。
【発明を実施するための形態】
【００２５】  以下、本発明の実施形態を図面に基づいて詳細に説明する。
【実施例１】
【００２６】  タオル用防水ケース１は、図１２で示すように、シート状の透明プラスチック段ボールで構成されており、各所に設けられた固定穴５１に、図１３で示すプラスチックリベット５０及びプラスチックネジ５２を通して固定することで形成されている。素材自体が透明であるため、蓋部を開けずに内部を外側から確認することができ、蓋部の開閉の回数が減ることで、収納部内に湿気が入る頻度を抑えることができる。【００２７】  図に沿って詳しく構成要素を説明する。まず図１及び図８で示すように、４つの側壁（正面側壁２１、右側壁２２、左側壁２３、背面側壁２４からなる直方体状の収納部２の上方には、回動部２６を介して蓋部３が設けられており、図２及び図４で示すように、蓋部３を収納部２に被せた際に、重合部３５が、例えば上下方向でα（３５ｍｍ程度）、収納部２の上端縁と重合するように構成されている。ただし、このαの値はこの限りではない。収納部２の正面側壁２１には、図１３で示す係止部２０が、蓋部３の正面蓋側壁３２に同じく図１３で示す係合部３０がそれぞれ取り付けられており、係合部３０を係止部２０に差し込んで固定するように構成されている。これにより、蓋部と収納部はその端縁において、いわゆるラビリンス効果が得られることになる。なお、ラビリンス効果とは、上記のような構成により、迷宮のような構造を作り出して、図５で示すような、水Ｓが重力に逆らった動きＳ’をしない限り、収納部２内部に水Ｓが入らないような状況としていることで得られる効果のことである。【００２８】  収納部２は、図６で示すように、組み立てた際に、のりしろ部２５が背面側壁２４の外側になるように寸法設定されており、のりしろ部２５と背面側壁２４が、プラスチックリベット５０で固定されている。このことで、水Ｓが収納部２の内部に入りにくいようになっている。【００２９】  また、収納部２は、図３及び図１０で示すように、平坦な底部４を備えており、底部４は、正面側壁２１、右側壁２２、左側壁２３、背面側壁２４からそれぞれ延びる正面底片４１、右底片４２、左底片４３、背面底片４４（図１２参照）から構成されている。背面底片４４の突起部４４ａ（図１２参照）を正面底片４１の溝部４１ａに挿し込むことで、背面底片４４の復元力によって、固定及び形状保持するように構成されている。また、この底部４は、背面底片４４の突起部４４ａと正面底片４１の溝部４１ａの接触部分が少し底上げされるように構成されている。これにより、底部４が地面Ｕに全面で接触することがなくなり、底部４からの水及び湿気の侵入が少なくなる。【００３０】  図８で示すように、右側壁２２及び左側壁２３の上端縁からそれぞれ延設された右折り返し部２７ｂと左折り返し部２７ｃが、収納部２の内側に折り返され、右側壁２２及び左側壁２３の内側に当接してプラスチックリベット５０で固定されている。これにより、右側壁２２及び左側壁２３の強度が増すとともに、タオルの出し入れの際にプラスチック製段ボール材の切断面に手が当たって怪我をすることを防ぐことができる。
また、図３で示すように、正面側壁２１の上端縁から延設された正面折り返し部２７ａが同様に収納部２の内側に折り返され、さらに正面折り返し部２７ａが底面付近まで延びた後に背面側壁２４方向に延びる底上げ部２８を備えている。これにより、使用中に前記蓋部３及び前記収納部２の内壁に発生した湿気が時間の経過とともに水滴となって底部４に溜まることになったとしても、その水分でタオルが濡れることを防ぐことができる。【００３１】  図８で示すように、収納部２の背面側壁２４から、回動部２６を介して、天壁３１が設けられており、さらにその先に、正面蓋側壁３２が設けられている。そして、天壁３１の左右側に、それぞれ右上蓋側壁３３ａと左上蓋側壁３４ａが、また、正面蓋側壁３２の左右に、それぞれ右下蓋側壁３４ａと左下側壁３４ｂが設けられている。まず始めに正面蓋側壁３２、次に右上蓋側壁３３ａ及び左上蓋側壁３４ａ、最後に右下蓋側壁３３ｂ及び左下蓋側壁３４ｂを山折りにしてプラスチックリベット５０で固定されている。これにより、図２で示すように、右下蓋側壁３４ａと左下側壁３４ｂより上部に位置する、上蓋側壁３３ａ及び左上蓋側壁３４ａが外側になり、水及び湿気が収納部２の内部に入りにくいようになっている。【００３２】  図７で示すように、収納部２の背面側壁２４には、本体と同素材の透明プラスチック段ボールで構成された取付部６０を取り付けるための取付部固定穴６１（図１２参照）が設けられており、プラスチックリベット５０で固定されている。取付部６０には、丸穴６３が設けられており、市販品のフックなどに掛けることができる。また、収納部２の背面側壁２４には、吸盤７０を取り付けるための吸盤固定穴７１（図１２参照）が設けられており、溝付きの吸盤７０を差し込んで固定できるようになっている。これにより、タオル用防水ケース１を、浴室内の手すり等に取り付けたり、浴室内の壁面に取り付けたりすることになり、タオル用収納ケース１は、設置状態で、常に上下方向が規定されるため、前述のラビリンス効果を、安定して得ることができる。なお、取付部６０及び吸盤７０を使用しない場合は、図１１で示すように、プラスチックネジ５２と取付部固定穴用ワッシャー６２及び吸盤固定穴用ワッシャー７２を使って、それぞれ取付部固定穴６１（図１２参照）と吸盤固定穴７１（図１２参照）を塞いで水及び湿気が収納部２内に入らないようにして使用する。なお、プラスチックネジ５２は、強度を優先したプラスチックリベット５０とは異なり、ネジ状になっており、再度取り外すことができる形状となっている。【００３３】  図１及び図８で示すように、収納部２の正面側壁２１には、市販のタイマーを収納することができるタイマー入れパーツ８０を取り付けるためのオプション品用穴８１（図１２参照）が設けられている。このことで、タイマー入れパーツ８０をプラスチックネジ５２で収納部２に固定して使用することができる。タイマー入れパーツ８０の底面には、水がタイマー入れパーツ内部に溜まらないように、水抜き穴８２が設けられている。なお、オプション品用穴８２に、タイマー入れパーツ８０の代わりに、図示しない歯ブラシ立てなどをプラスチックネジ５２で収納部２に固定して使用してもよい。
【実施例２】
【００３４】  異なる実施例として、以下のような構成としてもよい。なお、以下の構成以外は、実施例１と同一となるため説明は省略する。【００３５】＜折り返し部＞
図９で示すように、右側壁２２及び左側壁２３の上端縁から延設された右折り返し部２７ｂ、左折り返し部２７ｃが、外側に折り返され、右側壁２２及び左側壁２３の外側壁に当接してプラスチックリベット５０で固定されている。これにより、収納部２の内壁が平滑になり、タオルをよりスムーズに取り出すことができるとともに、蓋部３を閉じた状態で、外側から、前記重合部３５、折り返し部２７ｂ、２７ｃ、側壁２２、２３の三重構造となって、前述のラビリンス効果がさらに高まり、より前記収納部内部への水及び湿気の侵入を防ぐことができる。【００３６】＜取付部＞
取付部６０は、図示しない粘着テープ付きマジックテープのオス面とメス面を貼り合わせたもので構成してもよい。プラスチックネジ５２で本体に固定し、輪状にして使用することで、浴室内の手すり等に取り付けることができる。
【産業上の利用可能性】
【００３７】  以上説明したように、本発明は、タオルを浴室内で収納するタオル用防水ケースにおいて有用で、産業上利用の可能性が高い。
【符号の説明】
【００３８】１        タオル用防水ケース
２        収納部
３        蓋部
４        底部
２０      係止部
２１      正面側壁
２２      右側壁
２３      左側壁
２４      背面側壁
２５      のりしろ部
２６      回動部
２７ａ    正面折り返し部
２７ｂ    右折り返し部
２７ｃ    左折り返し部
２８      底上げ部
３０      係合部
３１      天壁
３２      正面蓋側壁
３３ａ    右上蓋側壁
３３ｂ    右下蓋側壁
３４ａ    左上蓋側壁
３４ｂ    左下蓋側壁
３５      重合部
４１      正面底片
４１ａ    溝部
４２      右底片
４３      左底片
４４      背面底片
４４ａ    突起部
５０      プラスチックリベット
５１      固定穴
５２      プラスチックネジ
６０      取付部
６１      取付部固定穴
６２      取付部固定穴用ワッシャー
６３      丸穴
７０      吸盤
７１      吸盤固定穴
７２      吸盤固定穴用ワッシャー
８０      タイマー入れパーツ
８１      オプション品穴
８２      水抜き穴
Ｕ        地面
Ｓ        水
Ｓ’      重力に逆らった動き
【図１】
2020117308.tif 000003
【図２】
2020117308.tif 000004
【図３】
2020117308.tif 000005
【図４】
2020117308.tif 000006
【図５】
2020117308.tif 000007
【図６】
2020117308.tif 000008
【図７】
2020117308.tif 000009
【図８】
2020117308.tif 000010
【図９】
2020117308.tif 000011
【図１０】
2020117308.tif 000012
【図１１】
2020117308.tif 000013
【図１２】
2020117308.tif 000014
【図１３】
2020117308.tif 000015